(57)【要約】【課題】  前後方向に並んでドレインホースを挿入でき、ドレインホースからの多量の排水を溢れさせることなく通水口を通じて排水処理部材へ円滑に流すことができるドレインホース接続具を提供する。【解決手段】  通水口５が開口された前壁部２１と、左右の側壁部２２，２２と、ドレインホースを挿入可能な筒部と、を有するケース体２を有し、ケース体２の内部には、前壁部２１と両側壁部２２，２２によって画成される内部空間２９が形成されている。筒部は、第１挿入筒部３と、第１挿入筒部３の後方に配置された第２挿入筒部４と、を有する。第１挿入筒部３の軸芯方向Ｌ３の前記ケース体２の下面２ａに対する角度Ｄ３は第２挿入筒部４の軸芯方向Ｌ４の前記下面２ａに対する角度Ｄ４よりも大きい。好ましくは、第１挿入筒部３の軸芯方向Ｌ３と第２挿入筒部４の軸芯方向Ｌ４が内部空間２９において交差している。【選択図】  図１５
2020180675.tif 000002
【特許請求の範囲】
【請求項１】
ドレインホースを挿入可能な筒部と、前記ドレインホースからの排水を排水処理部材側へと流す通水口と、を有するケース体を有し、
前記ケース体が、前記通水口が開口された前壁部と、前記前壁部の両側に連設された左右の側壁部と、を有し、前記ケース体の内部には、前記前壁部と前記両側壁部によって画成される空間であって前記通水口に臨む内部空間が形成されており、
前記筒部が、第１ドレインホースをその軸芯方向に沿って挿入可能な第１挿入筒部と、第２ドレインホースを挿入可能な第２挿入筒部と、を有し、前記第１挿入筒部と第２ドレインホースが前後方向に並んで配置されており、
前記第１挿入筒部の軸芯方向の前記ケース体の下面に対する角度が、前記第２挿入筒部の軸芯方向の前記ケース体の下面に対する角度よりも大きい、ドレインホース接続具。
【請求項２】
前記第１挿入筒部の軸芯方向と第２挿入筒部の軸芯方向が前記内部空間において交差するように、前記第１挿入筒部及び第２挿入筒部が形成されている、請求項１に記載のドレインホース接続具。
【請求項３】
前記第１挿入筒部の軸芯方向の前記下面に対する傾斜角が６０度〜８５度であり、前記第２挿入筒部の軸芯方向の前記下面に対する傾斜角が１０度〜３０度である、請求項１または２に記載のドレインホース接続具。
【発明の詳細な説明】
【技術分野】
【０００１】
本発明は、ドレインホースから流れ出る排水を所定の箇所へ導く排水処理部材に、前記ドレインホースを接続するために用いられる、ドレインホース接続具に関する。
【背景技術】
【０００２】
エアコンなどの空調機や給湯器などのドレイン水がドレインホースから排水として排出されている。このような排水が、マンションやアパートなどの集合住宅、オフィスビル、商業施設ビルなどの集合建築物のベランダや共用廊下などの床面上を直接的に流れると、当該床面に汚れなどが生じる。これを防止するため、従来、ドレインホースから流れ出る排水を雨樋や側溝などの所定の箇所へ導く空調機ドレイン用の排水処理部材が床面に施工されている。また、この排水処理部材にドレインホースの端部を接続するために、ドレインホース接続具が前記排水処理部材に取り付けられる。
例えば、特許文献１には、鉛直上方に立ち上がる上端にホース差込口を備えたホース保持筒と、ホース保持筒の内面から突き出すホース抜止部と、ホース保持筒の下端両側に形成された支持脚と、からなるドレインホース接続具が開示されている。このホース保持筒は、排水処理部材の幅方向（排水処理部材の長手方向と直交する方向）に２本のドレインホースを横並びで保持する。しかしながら、このように幅方向に２本のドレインホースを保持する接続具を用いる場合には、それに応じて幅広の排水処理部材を床面に取り付けなければならず、排水処理部材の設置場所が大面積となる。
【０００３】
特許文献２には、軸長方向にドレインホースをそれぞれ挿入脱可能な第１及び第２挿入空間を有する一方開口型の筒部と、前記ドレインホースからの排水を排水処理部材側へと導く本体部と、を有し、前記第１挿入空間及び第２挿入空間が、前後方向に並んで配置されているドレインホース接続具が開示されている。かかるドレインホース接続具は、ドレインホース接続具の前後方向を排水処理部材の長手方向に沿わせて排水処理部材に取り付けられる。特許文献２のドレインホース接続具によれば、特許文献１よりも幅狭な排水処理部材を用いることができ、排水処理部材の設置場所が比較的小さくて済む。
【先行技術文献】
【特許文献】
【０００４】
【特許文献１】特開２００９−２６４４６１号公報
【特許文献２】特開２０１３−２０４６０７号公報
【発明の概要】
【０００５】
しかしながら、近年、空調機の高機能化により、空調機などから生じる結露水（通常のドレイン水）のみならず、空調機の自己清掃機能で一時的に多量の排水が生じることがあり、また、空調機のみならず給湯器からも多量の排水が生じる場合もある。
特許文献１及び２のドレインホース接続具にあっては、このような多量の排水が生じることを想定しておらず、多量の排水を円滑に排水処理部材に流すことができるドレインホース接続具が求められている。
【発明が解決しようとする課題】
【０００６】
本発明の目的は、前後方向に並んでドレインホースを挿入でき、ドレインホースからの多量の排水を溢れさせることなく通水口を通じて排水処理部材へ円滑に流すことができるドレインホース接続具を提供することである。
【課題を解決するための手段】
【０００７】
本発明のドレインホース接続具は、ドレインホースを挿入可能な筒部と、前記ドレインホースからの排水を排水処理部材側へと流す通水口と、を有するケース体を有し、前記ケース体が、前記通水口が開口された前壁部と、前記前壁部の両側に連設された左右の側壁部と、を有し、前記ケース体の内部には、前記前壁部と前記両側壁部によって画成される空間であって前記通水口に臨む内部空間が形成されており、前記筒部が、第１ドレインホースをその軸芯方向に沿って挿入可能な第１挿入筒部と、第２ドレインホースを挿入可能な第２挿入筒部と、を有し、前記第１挿入筒部と第２ドレインホースが前後方向に並んで配置されており、前記第１挿入筒部の軸芯方向の前記ケース体の下面に対する角度が、前記第２挿入筒部の軸芯方向の前記ケース体の下面に対する角度よりも大きい。
【０００８】
本発明の好ましいドレインホース接続具は、前記第１挿入筒部の軸芯方向と第２挿入筒部の軸芯方向が前記内部空間において交差するように、前記第１挿入筒部及び第２挿入筒部が形成されている。
本発明の好ましいドレインホース接続具は、前記第１挿入筒部の軸芯方向の前記下面に対する傾斜角が６０度〜８５度であり、前記第２挿入筒部の軸芯方向の前記下面に対する傾斜角が１０度〜３０度である。
【発明の効果】
【０００９】
本発明のドレインホース接続具は、ドレインホースから多量の排水が流れ出た場合でも、筒部から排水を溢れさせることなく排水処理部材へ円滑に導いて処理することができる。
【図面の簡単な説明】
【００１０】
【図１】本発明の排水処理構造の参考斜視図。
【図２】図１のＩＩ−ＩＩ線で切断した断面を含む一部省略斜視図。
【図３】図１のＩＩＩ−ＩＩＩ線で切断した一部省略断面図。
【図４】図３のＩＶ−ＩＶ線で切断した一部省略断面図。
【図５】図３のＶ−Ｖ線で切断した端面図。端面図は、切断面のみの形状を表し、切断面より奥側の形状を表していない図である。
【図６】排水処理部材の正面図。
【図７】同排水処理部材を表面側から見た中途部省略平面図。
【図８】ドレインホース接続具を左後側且つ上側から見た斜視図。
【図９】同ドレインホース接続具を右前側且つ下側から見た斜視図。
【図１０】同ドレインホース接続具の正面図。
【図１１】同ドレインホース接続具の背面図。
【図１２】同ドレインホース接続具の右側面図。
【図１３】同ドレインホース接続具の平面図。
【図１４】同ドレインホース接続具の底面図。
【図１５】図１３のＸＶ−ＸＶ線で切断した断面図。
【図１６】図１５のＸＶＩ−ＸＶＩ線で切断した断面図。
【図１７】図１５のＸＶＩＩ−ＸＶＩＩ線で切断した断面図。
【発明を実施するための形態】
【００１１】
以下、本発明について、適宜図面を参照しつつ説明する。
本明細書において、ドレインホース接続具の説明おいて、「前」は、ドレインホース接続具に挿入されたドレインホースからの排水が流れていく側を指し、「後」は、その反対側を指し「下」は、ドレインホース接続具を設置するときに排水処理部材に面する側を指し、「上」は、その反対側を指す。また、本明細書において、「略」は、本発明の属する技術分野において許容される範囲を意味する。
本明細書において、「下限値Ｘ〜上限値Ｙ」で表される数値範囲は、下限値Ｘ以上上限値Ｙ以下を意味する。前記数値範囲が別個に複数記載されている場合、任意の下限値と任意の上限値を選択し、「任意の下限値〜任意の上限値」を設定できるものとする。
【００１２】
［排水処理構造の概要］
図１は、本発明の排水処理構造Ｂの斜視図であり、図２は、図１の排水処理構造Ｂを幅方向で切断した断面を含む一部省略斜視図であり、図３は、排水処理構造Ｂのうちドレインホース接続具１を前後方向で切断した一部省略断面図であり、図４は、第１ドレインホースが取り付けられた第１挿入筒部３を幅方向で切断した一部省略断面図であり、図５は、前記第１挿入筒部３を水平方向で切断した端面図である。
排水処理構造Ｂは、床面Ａに敷設された平面視帯状の部材であって排水路８１を有する排水処理部材８と、排水処理部材８の排水路８１上に設置されたドレインホース接続具１と、を有する。ドレインホース接続具１は、その下面を前記排水路８１上に載せ且つ前後方向を排水処理部材８の長手方向に沿わせて（ドレインホース接続具１の前後方向を排水処理部材８の長手方向と略平行にして）、前記排水処理部材８に設置されている。
以下、排水処理部材８及びドレインホース接続具１のそれぞれについて説明した後、それらを施工して得られる排水処理構造Ｂについて詳述する。
【００１３】
［排水処理部材］
図６は、排水処理部材８の正面図であり、図７は、その平面図である。
排水処理部材８は、ドレインホース接続具１に取り付けられた空調機のドレインホースから流れ出る排水を雨樋や側溝などの所定の箇所へ導くために、共用廊下などの床面上に設置される部材である。
図６及び図７を参照して、排水処理部材８の全体的な形状は、帯状である。なお、図７においては、同じ形状が連続した排水処理部材８の中途部を省略している。
前記帯状は、長手方向の長さが幅方向（幅方向は、長手方向と直交する方向）よりも十分に長い平面視略長方形状をいう。
通常、排水処理部材８は、長手方向長さが施工場所の実寸よりも大きく形成されており、施工時に、施工場所に応じて、適宜裁断して使用される。
【００１４】
排水処理部材８の表面には、幅方向両側に配置された左右一対の溝縁凸条８２，８２が突設されている。溝縁凸条８２は、長手方向に連続した凸部である（つまり、凸条である）。溝縁凸条８２は、断面視で、略三角形状に形成されているが、前記溝縁凸条８２の断面視形状は、略三角形状に限られず、例えば、断面視略半円状、略半楕円状、略四角形状などであってもよい（図示せず）。
排水路８１は、前記一対の溝縁凸条８２，８２で挟まれた部分であって、幅方向略中央領域において凹状に凹んだ部分である。排水路８１は、略水平な面とされており、長手方向に帯状に延びている。排水路８１は、溝縁凸条８２よりも十分に低くなるように形成されている。
排水路８１には、必要に応じて、整流凸条８３を設けてもよい。整流凸条８３は、排水路８１の幅方向の一部分に形成される。整流凸条８３は、排水路８１に沿って排水が長手方向に流れるように導くガイドとして機能する。整流凸条８３は、１本でもよいが、図示例では、幅方向に所定間隔を開けて複数本（例えば３本）形成されている。整流凸条８３の突出高さは、特に限定されないが、溝縁凸条８２よりも十分に低いことが好ましい。整流凸条８３は、断面視で、略三角形状（略二等辺三角形状など）に形成されているが、これに限られず、例えば、断面視略半円状、略半楕円状、略四角形状などであってもよい（図示せず）。
【００１５】
排水処理部材８は、柔軟であり、容易に湾曲させることができる。
排水処理部材８の形成材料は、特に限定されず、従来公知のものを用いることができ、一般的には、熱可塑性樹脂が用いられる。前記熱可塑性樹脂としては、塩化ビニルや塩化ビニル−酢酸ビニル共重合体などの塩化ビニル系樹脂；ポリオレフィン系樹脂；ウレタン系樹脂；エチレン−酢酸ビニル共重合体などの酢酸ビニル系樹脂；エチレン−メタクリレート樹脂などのアクリル系樹脂；ポリアミド系樹脂；エステル系樹脂；オレフィン系エラストマー、スチレン系エラストマーなどの各種エラストマーなどが挙げられる。これらは、１種単独で、又は２種以上を併用できる。優れた柔軟性を有し、さらに、加工し易いことから、塩化ビニル系樹脂を主成分樹脂とすることが好ましい。前記形成材料は、発泡されていてもよいが、通常、非発泡体から構成される。
前記熱可塑性樹脂を押出し成形することにより、前記排水処理部材８が得られる。
【００１６】
［ドレインホース接続具］
図８及び図９は、ドレインホース接続具１の斜視図、図１０乃至図１４は、ドレインホース接続具１の六面図（ただし、左側面図は、右側面図と対称に表れるので省略する）、図１５乃至図１７は、筒部を含むドレインホース接続具１の断面図である。
図８乃至図１４において、本発明のドレインホース接続具１は、可撓性を有するドレインホースを軸芯方向にそれぞれ挿入脱可能な筒部３，４と、前記ドレインホースからの排水を排水処理部材８側へと流す通水口５と、を有するケース体２を有する。
【００１７】
筒部３，４は、２つ形成されている。本明細書において、この筒部３，４は、ドレインホース接続具１（ケース体２）の内部に形成される筒状の空間をいう。
１つの筒部３（第１挿入筒部３）は、第１ドレインホースをその軸芯方向に沿って挿入可能であり、もう１つの筒部４（第２挿入筒部４）は、第１挿入筒部３の後方に配置され且つ第２ドレインホースを挿入可能である。従って、第１挿入筒部３と第２挿入筒部４は、ケース体２の前後方向に並んで配置されている。
前記ケース体２は、例えば、その下面２ａを下にして水平面上に自立させることができる。
【００１８】
第１挿入筒部３及び第２挿入筒部４は、それぞれの軸芯方向Ｌ３，Ｌ４がケース体２の下面２ａに対して所望の角度を有するように（ケース体２の下面２ａと非平行となって）、延在されている。
ここで、ケース体２の下面２ａは、概念上、ケース体２を自立させたときに、水平面に接する部分を含む平面をいう。
前記第１挿入筒部３の軸芯方向Ｌ３のケース体２の下面２ａに対する角度が、第２挿入筒部４の軸芯方向の前記ケース体の下面に対する角度よりも大きい。
好ましくは、第１挿入筒部３の軸芯方向Ｌ３と第２挿入筒部４の軸芯方向Ｌ４がケース体２の下面２ａに対して鋭角を成して傾斜されていると共に、第１挿入筒部３の軸芯方向Ｌ３の前記下面２ａに対する角度が前記第２挿入筒部４の角度よりも大きい。
また、第１挿入筒部３の軸芯方向Ｌ３と第２挿入筒部４の軸芯方向Ｌ４が内部空間２９において交差するように、前記第１挿入筒部３及び第２挿入筒部４が形成されている。
なお、図１５において、第１挿入筒部３の軸芯方向Ｌ３及び第２挿入筒部４の軸芯方向Ｌ４を、二点鎖線で表している。
【００１９】
具体的には、ケース体２は、前壁部２１と、左右の側壁部２２，２２と、左右の側壁部２２，２２の下側に連設された底壁部２３と、左右の側壁部２２，２２と底壁部２３に連設された後壁部２４と、左右の側壁部２２，２２の上側に連設された天壁部２５と、を有する中空状である。
【００２０】
前壁部２１は、ドレインホース接続具１を排水処理部材８に設置した際に、水が流れていく側に向けられる壁部であり、後壁部２４は、水の流れと反対側に向けられる壁部である。
前壁部２１の下方には、通水口５が形成されている。通水口５は、前壁部２１の下方部の全体又は下方部の一部分を切り欠いた切欠き部５１によって画成される。なお、前壁部２１の下方部の一部分に切欠き部５１が形成されている場合、切欠き部５１が形成されていない部分の前壁部２１の下端面は、ケース体２の下面２ａを構成する。
左右一対の側壁部２２，２２は、前壁部２１と協働して内部空間２９を画成する。側壁部２２，２２の形状は、図１２に示すように、側面視で略扇状に形成されている。もっとも、側壁部２２，２２の側面視形状は、略扇状に限られず、略長方形状四角形状、略正方形状、略平行四辺形状などの略四角形状などであってもよい。
【００２１】
底壁部２３は、ケース体２の底部を閉塞する壁部である。底壁部２３の下面は、ケース体２の下面２ａを構成する。底壁部２３は、ケース体２の前後方向全体に亘って設けられていてもよく、或いは、ケース体２の前後方向の一部分において設けられていてもよい。図示例では、底壁部２３は、前壁部２１の近傍には設けられておらず、ケース体２の後方側に設けられている。従って、ケース体２の底部のうち前壁部２１の近傍においては、底壁部２３を有さずに開口部とされている。
前記開口部においては、一対の側壁部２２，２２の下端面がケース体２の下面２ａを構成している。従って、図示例では、ケース体２の下面２ａは、前壁部２１の下端面と、側壁部２２，２２の前方側の下端面と、底壁部２３の下面と、で構成されている。
本発明のドレインホース接続具１を、整流凸条８３を有する排水路８１に設置する場合には、底壁部２３の下面に、前記整流凸条８３が嵌まる凹条２６が前後方向に延びて設けられる。前記凹条２６は、整流凸条８３に対応して設けられ、図示例では、幅方向に所定間隔を開けて３本形成されている。
なお、ドレインホース接続具１を排水処理部材８の排水路８１上に載せて設置するので、底壁部を有さないケース体２であってもよい（図示せず）。底壁部を有さないケース体２にあっては、一対の側壁部２２，２２の下端面及び前壁部２１の下端面がケース体２の下面２ａを構成する。
【００２２】
天壁部２５の一部分には、第１挿入筒部３の挿入口３１（以下、第１挿入口３１という）が開口されている。
また、後壁部２４の一部分には、第２挿入筒部４の挿入口４１（以下、第２挿入口４１という）が開口されている。
図示例では、第１挿入口３１及び第２挿入口４１は、略正方形状の開口からなるが、この形状に限定されず、略長方形状などの略四角形状、略三角形状や略六角形状などの略多角形状、略円形状、略楕円形状などであってもよい。
【００２３】
第１挿入筒部３は、第１挿入口３１からケース体２の内部に延びる略筒状である。
第１挿入筒部３は、前壁部２１、両側壁部２２，２２及び天壁部２５に続く仕切り壁部２７によって囲われる長状の空間からなる。前記第１挿入筒部３（長状の空間）に、第１ドレインホースをその軸芯方向に沿って挿入脱することができる。第１挿入筒部３は、その筒部の軸芯方向Ｌ３に、第１ドレインホースの軸芯方向を略平行にして第１ドレインホースが挿入されることを許容し且つ第１ドレインホースの挿入を案内する機能を有する。また、第１挿入筒部３は、後述するリブ部と協働して、挿入された第１ドレインホースを保持する機能を有する。第１挿入筒部３に第１ドレインホースが挿入された状態において、第１ドレインホースの軸芯方向と第１挿入筒部３の軸芯方向Ｌ３は、略一致する。
第１挿入口３１が前記略正方形状又は略長方形状などの略四角形状の場合、第１挿入筒部３は、第１挿入口３１から延びる略四角筒状とされている。第１挿入筒部３が第１挿入口３１を含んで略四角筒状とされていることにより、その略四角筒状の４つ角部と略円筒状の第１ドレインホースの外周面の間に比較的大きな間隙が生じ、第１ドレインホースを変形させながら第１挿入筒部３に容易に挿入できるようになる。また、第１挿入筒部３が、略円筒状の第１ドレインホースの外周面が第１挿入筒部３の内面に４点で接するような大きさの略四角筒状に形成されていることにより、第１ドレインホースが安定的に保持されるようになる。
【００２４】
第１挿入筒部３は、その軸芯方向Ｌ３がケース体２の下面２ａに対して所望の角度を成して形成されている。
ケース体２の下面２ａに対する第１挿入筒部３の軸芯方向Ｌ３の角度は、鈍角でもよく、直角でもよく、或いは、鋭角でもよいが、好ましくは、直角又は鋭角とされ、より好ましくは、鋭角とされる。図１５を参照して、第１挿入筒部３の軸芯方向Ｌ３の角度Ｄ３（第１挿入筒部３の軸芯方向Ｌ３の、ケース体２の下面２ａに対する傾斜角）は、後述する第２挿入筒部４の軸芯方向Ｌ４の角度Ｄ４よりも大きれば特に限定されないが、第２挿入筒部４の軸芯方向Ｌ４と内部空間２９において交差するような角度であることが好ましい。第１ドレインホースからの排水を内部空間２９に導いて通水口５を通じて排出できることから、第１挿入筒部３の軸芯方向Ｌ３の角度Ｄ３は、例えば、６０度〜９０度であり、好ましくは、６０度以上９０度未満であり、より好ましくは、６０度〜８５度であり、さらに好ましくは、６５度〜８５度であり、最も好ましくは、６５度〜８０度である。
【００２５】
第１挿入筒部３には、その筒部の軸芯方向Ｌ３に向かって突出したリブ部３２（以下、第１リブ部３２という）が形成されている。前記第１リブ部３２は、筒部の軸芯方向Ｌ３に沿って長状に延設されている。換言すると、第１リブ部３２は、軸芯方向Ｌ３に向かって突出した突部が軸芯方向Ｌ３に連続して延びる、細長い突部である。
好ましくは、第１リブ部３２は、側壁部２２の上端部から下方に延びる長状の突部である。
前記第１リブ部３２は、第１挿入筒部３に挿入された第１ドレインホースに食い込み、第１ドレインホースが第１挿入筒部３から容易に抜け出ないように保持する機能を有する。また、第１挿入筒部３の内面に第１リブ部３２が形成されていることにより、第１ドレインホースのうち第１リブ部３２に接する箇所以外の箇所と第１挿入筒部３の内面との間の全部又は一部に隙間が生じる。第１ドレインホースからの排水が内部空間２９に流れ込んだ際に、内部空間２９に存する空気が前記隙間から第１挿入筒部３の外部に排気され、排水が内部空間２９に支障なく流れるようになる。
【００２６】
前記第１リブ部３２は、第１挿入筒部３の内面に、少なくとも１つ設けられていればよい。例えば、第１リブ部３２が１つだけ設けられている場合であっても、その第１リブ部３２の存在によって、第１ドレインホースが挿入される第１挿入筒部３の有効空間が狭くなり、第１ドレインホースを第１挿入筒部３内に保持できるようになる。
好ましくは、第１リブ部３２は、独立して複数（２以上）設けられる。例えば、第１挿入筒部３内には、左右一対の第１リブ部３２，３２が突設されている。図示例では、一方の第１リブ部３２は、右側の側壁部２２の内面から突設され、もう一方の第１リブ部３２は、右側の側壁部２２の内面から突設され、一対の第１リブ部３２，３２は、第１挿入筒部３の軸芯を挟んで向かい合って配置されている。
【００２７】
また、第１リブ部３２が複数の場合、全ての第１リブ部３２の突出量は同じでもよいし、或いは、一部の第１リブ部３２の突出量が異なっていてもよいし、或いは、全ての第１リブ部３２の突出量が互いに異なっていてもよい。
さらに、第１リブ部３２の突出量は、その上方から下方まで同じでもよいし（つまり、１つの第１リブ部３２について、その突出量が一定であってもよい）、或いは、第１リブ部３２の突出量が上方から下方までの間で異なっていてもよい。第１ドレインホースを挿入し易く且つそれを容易に固定できることから、第１リブ部３２は、その上方から下方にいくにつれて突出量が大きくなるように形成されていることが好ましい。
図示例では、各第１リブ部３２は、下方に向かうに従って、その突出量が極僅かに大きくなった領域を有する。かかる第１リブ部３２によれば、向かい合う第１リブ部３２の突出頂部の間隔が、下方に向かうに従って僅かに小さくなり、その一対の第１リブ部３２の突出頂部を滑らせながら第１ドレインホースを食い込ませることができ、第１挿入筒部３内に第１ドレインホースを容易に挿入し且つ保持させることができる。
【００２８】
第１挿入筒部３には、第１ドレインホースの進行を規制するストッパー部３３（以下、第１ストッパー部３３という）が設けられている。第１ストッパー部３３は、その係止部３３ａにて第１ドレインホースの筒開口端の一部分を係止し、挿入される第１ドレインホースが第１ストッパー部３３よりも先に進行しないように規制する機能を有する。
第１ストッパー部３３は、第１挿入筒部３の下方に設けられ、例えば、各第１リブ部３２の下端部に設けられている。図示例では、第１ストッパー部３３として、第１リブ部３２よりも大きく軸芯に向かって突出した突部が用いられており、第１リブ部３２と第１ストッパー部３３の突出差によって生じる段差が前記第１ストッパー部３３の係止部３３ａとなる。
第１挿入口３１から第１ストッパー部３３の係止部３３ａまでの距離（軸芯方向Ｌ３と平行な方向における第１挿入口３１から係止部３３ａまでの長さ）は、特に限定されないが、第１挿入筒部３に第１ドレインホースを安定的に保持させるために、１５ｍｍ以上が好ましい。
【００２９】
第２挿入筒部４は、第２挿入口４１からケース体２の内部に延びる略筒状である。
第２挿入筒部４は、両側壁部２２，２２、天壁部２５に続く仕切り壁部２７及び後壁部２４に続く仕切り壁部２８によって囲われる長状の空間からなる。第２挿入筒部４（長状の空間）に、第２ドレインホースをその軸芯方向に沿って挿入脱することができる。第２挿入筒部４は、その筒部の軸芯方向Ｌ４に、第２ドレインホースの軸芯方向を略平行にして第２ドレインホースが挿入されることを許容し且つ第２ドレインホースの挿入を案内する機能を有する。また、第２挿入筒部４は、後述するリブ部と協働して、挿入された第２ドレインホースを保持する機能を有する。第２挿入筒部４に第２ドレインホースが挿入された状態において、第２ドレインホースの軸芯方向と第２挿入筒部４の軸芯方向Ｌ４は、略一致する。
第２挿入口４１が前記略正方形状又は略長方形状などの略四角形状の場合、第２挿入筒部４は、第２挿入口４１から延びる略四角筒状とされている。第２挿入筒部４が第２挿入口４１を含んで略四角筒状とされていることにより、その略四角筒状の４つ角部と略円筒状の第２ドレインホースの外周面の間に比較的大きな間隙が生じ、第２ドレインホースを変形させながら第２挿入筒部４に容易に挿入できるようになる。また、第２挿入筒部４が、略円筒状の第２ドレインホースの外周面が第２挿入筒部４の内面に４点で接するような大きさの略四角筒状に形成されていることにより、第２ドレインホースが安定的に保持されるようになる。
【００３０】
第２挿入筒部４は、その軸芯方向Ｌ４がケース体２の下面２ａに対して所望の角度を成して形成されている。
ケース体２の下面２ａに対する第２挿入筒部４の軸芯方向Ｌ４の角度は、鋭角であることが好ましい。図１５を参照して、第２挿入筒部４の軸芯方向Ｌ４の角度Ｄ４（第２挿入筒部４の軸芯方向Ｌ４の、ケース体２の下面２ａに対する傾斜角）は、上記第１挿入筒部３の軸芯方向Ｌ３の角度Ｄ３よりも小さければ特に限定されないが、第１挿入筒部３の軸芯方向Ｌ３と内部空間２９において交差するような角度であることが好ましい。つまり、第１挿入筒部３及び第２挿入筒部４は、第１挿入筒部３の軸芯方向Ｌ３と第２挿入筒部４の軸芯方向Ｌ４が内部空間２９において交差するように形成されていることが好ましい。
第２ドレインホースからの排水を内部空間２９に導いて通水口５を通じて排出でき、また、第２ドレインホースからの多量の排水が出た場合であっても、内部空間２９でその排水を一時的に滞留させた後、通水口５を通じて排出できることから、第２挿入筒部４の軸芯方向Ｌ４の角度Ｄ４は、１０度〜３０度が好ましく、さらに、１０度〜２５度がより好ましい。なお、図示のように、第２挿入筒部４の軸芯方向Ｌ４がケース体２の下面２ａに交わらない場合には、前記角度Ｄ４は、第２挿入筒部４の軸芯方向Ｌ４の、ケース体２の下面２ａの延長面に対する角度をいう。
【００３１】
また、図１５に示すように、第２挿入筒部４は、第２挿入口４１の下端部がケース体２の下面２ａから例えば７ｍｍ〜２０ｍｍの高さ位置、好ましくは８ｍｍ〜１３ｍｍの高さ位置となるように形成される。なお、図１５の符号Ｈは、ケース体２の下面２ａからの第２挿入口４１の下端部の高さ位置を示す。前記下限値以上の高さ位置により、内部空間２９に一時的に排水を滞留させるときに、排水が第２挿入筒部４を逆流又は第２挿入口４１からの溢れ出しを防止できる。前記上限値以下の高さ位置により、第２挿入口４１を比較的大きく開口でき、一般的な大きさの第２ドレインホースを容易に挿入できる。
【００３２】
第２挿入筒部４には、その筒部の軸芯方向に向かって突出したリブ部４２（以下、第２リブ部４２という）が形成されている。前記第２リブ部４２は、筒部の軸芯方向に沿って長状に延設されている。換言すると、第２リブ部４２は、軸芯方向Ｌ４に向かって突出した突部が軸芯方向Ｌ４に連続して延びる、細長い突部である。
好ましくは、第２リブ部４２は、側壁部２２，２２の上端部から下方に延びる長状の突部である。
前記第２リブ部４２は、第２挿入筒部４に挿入された第２ドレインホースに食い込み、第２ドレインホースが第２挿入筒部４から容易に抜け出ないように保持する機能を有する。また、第２挿入筒部４の内面に第２リブ部４２が形成されていることにより、第２ドレインホースのうち第２リブ部４２に接する箇所以外の箇所と第２挿入筒部４の内面との間の全部又は一部に隙間が生じる。第２ドレインホースからの排水が内部空間２９に流れ込んだ際に、内部空間２９に存する空気が前記隙間から第２挿入筒部４の外部に排気され、排水が内部空間２９に支障なく流れるようになる。
【００３３】
前記第２リブ部４２は、第２挿入筒部４の内面に、少なくとも１つ設けられていればよい。例えば、第２リブ部４２が１つだけ設けられている場合であっても、その第２リブ部４２の存在によって、第２ドレインホースが挿入される第２挿入筒部４の有効空間が狭くなり、第２ドレインホースを第２挿入筒部４内に保持できるようになる。
好ましくは、第２リブ部４２は、独立して複数（２以上）設けられる。例えば、第２挿入筒部４内には、左右一対の第２リブ部４２が突設されている。図示例では、一方の第２リブ部４２は、右側の側壁部２２，２２の内面から突設され、もう一方の第２リブ部４２は、右側の側壁部２２，２２の内面から突設され、一対の第２リブ部４２は、第２挿入筒部４の軸芯を挟んで向かい合って配置されている。
【００３４】
また、第２リブ部４２が複数の場合、全ての第２リブ部４２の突出量は同じでもよいし、或いは、一部の第２リブ部４２の突出量が異なっていてもよいし、或いは、全ての第２リブ部４２の突出量が互いに異なっていてもよい。
さらに、第２リブ部４２の突出量は、その上方から下方まで同じでもよいし（つまり、１つの第２リブ部４２について、その突出量が一定であってもよい）、或いは、第２リブ部４２の突出量が上方から下方までの間で異なっていてもよい。第２ドレインホースを挿入し易く且つそれを容易に固定できることから、第２リブ部４２は、その上方から下方にいくにつれて突出量が大きくなるように形成されていることが好ましい。
図示例では、各第２リブ部４２は、下方に向かうに従って、その突出量が極僅かに大きくなった領域を有する。かかる第２リブ部４２によれば、向かい合う第２リブ部４２の突出頂部の間隔が、下方に向かうに従って僅かに小さくなり、その一対の第２リブ部４２の突出頂部を滑らせながら第２ドレインホースを食い込ませることができ、第２挿入筒部４内に第２ドレインホースを容易に挿入し且つ保持させることができる。
【００３５】
第２挿入筒部４には、第２ドレインホースの進行を規制するストッパー部４３（以下、第２ストッパー部４３という）が設けられている。第２ストッパー部４３は、その係止部４３ａにて第２ドレインホースの筒開口端の一部分を係止し、挿入される第２ドレインホースが第２ストッパー部４３よりも先に進行しないように規制する機能を有する。
第２ストッパー部４３は、第１挿入筒部３の下方に設けられ、例えば、各第２リブ部４２の下端部に設けられている。図示例では、第２ストッパー部４３として、第２リブ部４２よりも大きく軸芯に向かって突出した突部が用いられており、第２リブ部４２と第２ストッパー部４３の突出差によって生じる段差が第２ストッパー部４３の係止部４３ａとなる。
第２挿入口４１から第２ストッパー部４３の係止部４３ａまでの距離（軸芯方向Ｌ４と平行な方向における第２挿入口４１から係止部４３ａまでの長さ）は、特に限定されないが、第２挿入筒部４に第２ドレインホースを安定的に保持させるために、１５ｍｍ以上が好ましい。
【００３６】
上述のように、第１ストッパー部３３及び第２ストッパー部４３は、それぞれ第１挿入筒部３及び第２挿入筒部４に挿入される第１ドレインホース及び第２ドレインホースの進行規制部である。
ここで、図３を参照して、筒開口端７１ａが第１ストッパー部３３に係止されるまで第１ドレインホース７１を第１挿入筒部３に挿入したときが、第１ドレインホース７１の最大挿入状態であり、筒開口端７２ａが第２ストッパー部４３に係止されるまで第２ドレインホース７２を第２挿入筒部４３に挿入したときが、第２ドレインホース７２の最大挿入状態である。
【００３７】
第１ドレインホース７１の最大挿入状態において、第１ドレインホース７１の筒開口端７１ａが、第２挿入筒部４の軸芯方向Ｌ４に交差しないように、前記第１ストッパー部３３が配置されていることが好ましい。なお、ドレインホースの筒開口端は、立体的には略円形状であり、断面視（側面視）では直線状である。図３において、第２挿入筒部４の軸芯方向Ｌ４を、二点鎖線で表している。
このように第１ストッパー部３３が配置されていることにより、第２ドレインホース７２から流れ出る排水が、第１ドレインホース７１によって妨げられ難く、内部空間２９から通水口５に至るようになる。詳しくは、鋭角状に傾斜した第２挿入筒部４に保持された第２ドレインホース７２にあっては、その排水は、重力に従い、図３の太矢印で示すように、第２ドレインホース７２内の下側に沿って流れ出てくる。多量の排水が生じた場合、第２ドレインホース７２内の排水は、概ね第２ドレインホース７２の軸芯方向（第２挿入筒部４の軸芯方向Ｌ４）と同レベル又はそれよりも下位レベルで、ホース７２内に沿って流れ出てくる。上述のように、第１ドレインホース７１の筒開口端７１ａが第２挿入筒部４の軸芯方向Ｌ４に交差しないように第２ストッパー部４３が配置されていることにより、第２ドレインホース７２の筒開口端７２ａから出る排水が、第１ドレインホース７１の先端部に衝突し難くなり、ケース体２を比較的小さくしても、内部空間２９から通水口５に円滑に流れやすくなる。
【００３８】
他方、第２ドレインホース７２の最大挿入状態において、第２ドレインホース７２の筒開口端７２ａが、第１挿入筒部３に挿入される第１ドレインホース７１と交差しないように、第２ストッパー部４３が配置されていることが好ましい。例えば、第２ドレインホース７２の最大挿入状態において、第２ドレインホース７２の筒開口端７２ａが、第１挿入筒部３の筒内に臨出しないように、第２ストッパー部４３が配置されていることが好ましい。
このように第２ストッパー部４３が配置されていることにより、第１ドレインホース７１及び第２ドレインホース７２を第１挿入筒部３及び第２挿入筒部４に挿入する際に、一方のホースが他方のホースの挿入を妨げることがない。
【００３９】
図１５を参照して、第１挿入筒部３の軸芯方向Ｌ３と第２挿入筒部４の軸芯方向Ｌ４は、内部空間２９において交差されている。
内部空間２９は、前壁部２１と両側壁部２２，２２によって画成される空間であって前壁部２１の通水口５に臨むケース体２内の１つの空間である。図１５の側面視では、内部空間２９は、ケース体２の前壁部２１、下面２ａ、第１挿入筒部３の下端部（第１ストッパー部３３の係止部３３ａ）及び第２挿入筒部４の下端部（第２ストッパー部４３の係止部４３ａ）によって概ね囲われた領域である。なお、第１挿入筒部３の下端部及び第２挿入筒部４の下端部が明確でない場合には、概念上、第１挿入筒部３の下端部は、第１ストッパー部３３の係止部３３ａを通る仮想平面であって第１挿入筒部３の軸芯方向Ｌ３に対して直交する仮想平面と見做し、第２挿入筒部４の下端部は、第２ストッパー部４３の係止部４３ａを通る仮想平面であって第２挿入筒部４の軸芯方向Ｌ４に対して直交する仮想平面と見做すものとする。図１５において、係止部３３ａを通る仮想平面Ｋ３及び係止部４３ａを通る仮想平面Ｋ４を、細かい点線で表している。
本発明のドレインホース接続具１は、前記内部空間２９が大容量であり、一時的に多量の排水が出た場合であっても、内部空間２９で排水を滞留させつつ、通水口５を通じて一定量の排水を排出できるので、排水がドレインホース接続具１及び排水処理部材８から溢れることを防止できる。
内部空間２９の大きさは、特に限定されないが、例えば、５ｃｍ３〜７ｃｍ３である。かかる容積の内部空間２９を有するドレインホース接続具１は、空調機からの結露水（通常のドレイン水）のみならず、空調機の自己掃除機能及び／又は給湯器の排水が加わることによって、一時的に多量の排水が流れてきても、内部空間２９に一時的に排水を滞留させることができ、ドレインホース接続具１から水が溢れることを効果的に防止できる。
【００４０】
上述のように、好ましい態様では、内部空間２９において第１挿入筒部３の軸芯方向Ｌ３と第２挿入筒部４の軸芯方向Ｌ４が交差するように、第１挿入筒部３及び第２挿入筒部４の配置及び傾斜角が設定されている。以下、２つの筒部の軸芯方向が交差する点Ｏを交点という。
第１挿入筒部３の第１ストッパー部３３の係止部３３ａと交点Ｏまでの直線長さの最小値は、特に限定されないが、余りに短いと内部空間２９が相対的に小さくなり過ぎ、余りに大きいと、ケース体２が大型化し過ぎる。かかる観点から、第１ストッパー部３３の係止部３３ａと交点Ｏまでの直線長さは、５ｍｍ以上が好ましく、さらに、８ｍｍ〜１３ｍｍがより好ましい。
第２挿入筒部４の第２ストッパー部４３の係止部４３ａと交点Ｏまでの直線長さの最小値は、特に限定されないが、余りに短いと内部空間２９が相対的に小さくなり過ぎ、余りに大きいと、ケース体２が大型化し過ぎる。かかる観点から、第２ストッパー部４３の係止部４３ａと交点Ｏまでの直線長さは、１０ｍｍ以上が好ましく、さらに、１５ｍｍ〜２０ｍｍがより好ましい。
【００４１】
ケース体２は、容易に変形しないような比較的硬質な材料から形成されている。
ケース体２の形成材料は、特に限定されず、従来公知のものを用いることができ、一般的には、合成樹脂、金属などが用いられ、好ましくは、硬質樹脂が用いられる。硬質樹脂としては、例えば、ポリスチレン、ＡＥＳ樹脂（アクリロニトリル・エチレンプロピレンジエン・スチレン）、ＡＳＡ樹脂（アクリロニトリル・スチレン・アクリルゴム）などが挙げられる。
硬質樹脂からなるケース体２は、射出成形などによって一体的に形成できる。また、ケース体２を２つ以上のパーツに分割してそれぞれを成形し、そのパーツを接着剤を用いた接着或いは樹脂溶着などして接合することによってケース体２を形成してもよい。
【００４２】
［ドレインホース接続具の使用及び排水処理構造］
上記ドレインホース接続具１は、排水処理部材８と共に床面Ａに設置される。
図１乃至図５を参照して、床面Ａに排水処理部材８が敷設され、その排水処理部材８にドレインホース接続具１が取り付けられている。ドレインホース接続具１にドレインホースが取り付けられ、ドレインホースから流れ出る排水は、排水処理部材８の排水路８１を通じて側溝９１などの所定の箇所に導かれる。
【００４３】
床面Ａは、例えば、マンションやベランダなどの構造物の共同廊下などが例示できるが、これに限定されるわけではない。床面Ａには、側溝９１に水を導くため勾配が付けられている。つまり、床面Ａは、側溝９１に向かって徐々に低くなった傾斜平面とされている。かかる床面Ａの傾斜は、水勾配とも呼ばれており、通常、１／５０〜１／１００である。なお、１／５０は、長さ５０ｃｍに対して１ｃｍ下がる勾配を意味する。従って、床面Ａ上の水は、構造物の壁面９２側から側溝９１側へと水勾配に従い流れていくようになっている。
前記排水処理部材８は、例えば、その長手方向が側溝９１に対して略直交するように床面Ａ上に取り付けられている。
【００４４】
排水処理部材８の裏面は、接着手段を介して床面Ａに固定されている。接着手段９３は、特に限定されず、例えば、接着剤、両面粘着テープなどを用いることが挙げられる。図示例では、接着手段９３として接着剤を表している。
排水処理部材８の両側端面には、床シート材９４の側端面が接合されている。床シート材９４は、合成樹脂を主体とする樹脂製のシート材を用いることができ、特に、少なくとも表面部分が塩化ビニル系樹脂からなるシート材を用いることができる。
床シート材９４は、接着剤や両面粘着テープなどの接着手段９３を介して床面Ａに固定されている。排水処理部材８の側端面と床シート材９４の側端面との間に、隙間埋め材９５を設けて水密性を高めてもよい。前記隙間埋め材９５としては、樹脂製の溶接棒、シーリング材などを用いることができる。
【００４５】
排水処理部材８の端部（壁面９２側の端部）の排水路８１上に、前記ドレインホース接続具１が取り付けられる。ドレインホース接続具１のケース体２の下面２ａが、接着手段を介して排水処理部材８の排水路８１上に固定されている。接着手段は、特に限定されず、例えば、接着剤、両面粘着テープなどを用いることが挙げられる。また、ケース体２の下面２ａの全体が、排水路８１上に固定されていることが好ましいが、これに限らず、少なくともケース体２の底壁部２３の下面が、排水路８１に固定されていればよい。
例えば、ケース体２の前壁部２１を側溝９１側に対向させ且つ後壁部２４を壁面９２側に対向させつつケース体２の下面２ａを排水路８１上に載せ、ケース体２の下面２ａを、接着剤などの接着手段（図示せず）を介して排水路８１に接着することにより、ドレインホース接続具１が排水処理部材８に取り付けられる。上述のようにケース体２が底壁部２３を有し且つ排水路８１に整流凸条８３が形成されている場合には、底壁部２３の凹条２６を整流凸条８３に対応させてケース体２の下面２ａを排水路８１上に載せることにより、ドレインホース接続具１を排水処理部材８に安定的に取り付けることができる。
【００４６】
ケース体２の前壁部２１には通水口５が形成されているので、ドレインホース接続具１を排水処理部材８に取り付けた状態において、排水処理部材８の排水路８１と通水口５の間に隙間が生じる。ドレインホース接続具１内から前記隙間を通じて、ドレインホースからの排水が排水処理部材８の排水路８１上を流れていく。
前記隙間の上下方向長さ（排水路８１と通水口５を画成する切欠き部５１の上端面との間の長さ）は、特に限定されないが、余りに小さいと排水が出にくくなり、余りに大きいとドレインホース接続具１の外観が悪くなる上、その隙間からケース体２内に異物が入り込むおそれがある。かかる観点から、前記隙間の上下方向長さは、例えば、１．５ｍｍ〜１０ｍｍであり、好ましくは、２ｍｍ〜８ｍｍであり、より好ましくは、４ｍｍ〜７ｍｍである。記隙間の上下方向長さを前記範囲とすることにより、一時的に多量の排水が流れてきても、通水口５から排水路８１へ排出する排水を一定量以下にすることができ、内部空間２９に滞留した排水がドレインホース接続具１から溢れることを防止できる。
【００４７】
排水処理部材８に取り付けられたドレインホース接続具１の第１挿入筒部３に第１ドレインホース７１が挿入され、第２挿入筒部４に第２ドレインホース７２が挿入される。
第１ドレインホース７１は、その軸芯方向を第１挿入筒部３の軸芯方向に沿って挿入され、第１リブ部３２に食い込んで第１挿入筒部３内に保持される。第１ストッパー部３３が設けられているので、第１ドレインホース７１が第１ストッパー部３３を越えて挿入されることはなく、第１ドレインホース７１の最大挿入長さは第１ストッパー部３３までである。なお、第１ドレインホース７１は、必ずしも第１ストッパー部３３に係止されるまで挿入しなければならないわけではなく、第１リブ部３２に食い込んで第１挿入筒部３から不用意に抜け出ない程度に挿入すればよい。
【００４８】
第２ドレインホース７２も、その軸芯方向を第２挿入筒部４の軸芯方向に沿って挿入され、第２リブ部４２に食い込んで第２挿入筒部４内に保持される。第２ストッパー部４３が設けられているので、第２ドレインホース７２が第２ストッパー部４３を越えて挿入されることはなく、第２ドレインホース７２の最大挿入長さは第２ストッパー部４３までである。なお、第２ドレインホース７２は、必ずしも第２ストッパー部４３に係止されるまで挿入しなければならないわけではなく、第２リブ部４２に食い込んで第２挿入筒部４から不用意に抜け出ない程度に挿入すればよい。
なお、図示例では、第１及び第２ドレインホース７１，７２として、一般的にドレインホースとして使用されることが多い略円形状のコルゲート状のホース（以下、コルゲートホースという）を例示しているが、コルゲートホース以外のドレインホースをドレインホース接続具１に取り付けてもよい。もっとも、第１リブ部３２及び第２リブ部４２への食い込みを考慮すると、第１及び第２ドレインホース７１，７２は、コルゲートホースであることが好ましい。コルゲートホースは、図３に示すような、周方向に凹設された谷部が長手方向に所定間隔を開けて形成されている蛇腹の如き形状をしており、コルゲートチューブとも呼ばれる。コルゲートホースは、前記蛇腹の如き形状によって変形に対する復元力が強いので、その復元力によって本発明のドレインホース接続具１に設けられた第１及び第２ストッパー部３３，４３に対してより強固に係合するので、第１及び第２挿入筒部３，４筒部から不用意に抜け難くなる。
第１及び第２ドレインホース７１，７２の外周長は、特に限定されず、それぞれ独立して、直径８ｍｍ〜２５ｍｍのホースが挙げられる。上記第１挿入筒部３及び第２挿入筒部４は、前記外周長の第１及び第２ドレインホース７１，７２を挿入脱できるような筒状に形成されていればよい。
【００４９】
上記排水処理構造Ｂにおいて、第１及び第２第１ドレインホース７１，７２から出た排水は、ケース体２の内部空間２９から通水口５（通水口５と排水路８１の間の隙間）を通じてドレインホース接続具１の外側に出た後、排水路８１に従い、側溝９１などの所定の箇所に排出される。
本発明のドレインホース接続具１は、第１挿入筒部３と第２挿入筒部４がケース体２の前後方向に並んで配置されているので、排水処理部材８の幅が大型化せず、比較的狭い場所にも排水処理部材８及びドレインホース接続具１を設置することができる。
さらに、本発明のドレインホース接続具１は、第１挿入筒部３の軸芯方向Ｌ３の角度Ｄ３が第２挿入筒部４の角度Ｄ４よりも大きいため、ケース体２内の排水が内部空間２９から通水口５を通じて円滑に流れていくようになる。特に、第１挿入筒部３の軸芯方向Ｌ３と第２挿入筒部４の軸芯方向Ｌ４が内部空間２９において交差するように、第１挿入筒部３及び第２挿入筒部４が形成されているため、第１及び第２第１ドレインホース７１，７２から出た排水は、通水口５を通じて排水処理部材８の排水路８１に円滑に流れいくようになる。
【００５０】
従来のように、第１及び第２ドレインホースが前後方向に平行に並んで保持するドレインホース接続具にあっては、多量の排水が第１及び第２ドレインホースから出た場合（以下、第１ドレインホースから出る排水を第１水といい、第２ドレインホースから出る排水を第２水という）、第１水が接続具内で第２水を堰き止めてしまい、ドレインホース接続具の筒部の挿入口から排水が溢れることがあった。
この点、本発明のドレインホース接続具１によれば、第１水が、ケース体２の下面２ａに対して比較的大きな鋭角を成して流れ出る一方で、第２水が、合流領域において前記第１水の流れに対して後方からぶつかるように流れ出る。このため、第１水と第２水が、合流領域で互いに勢いを打ち消し合い、両水の勢いが緩和され、第１水及び第２水が通水口５からドレインホース接続具１の外側へ円滑に排出されるようになる。
【符号の説明】
【００５１】
１  ドレインホース接続具
２  ケース体
２ａ  ケース体の下面
２１  ケース体の前壁部
２２  ケース体の側壁部
２９  内部空間
３  第１挿入筒部
Ｌ３  第１挿入筒部の軸芯方向
４  第２挿入筒部
Ｌ４  第２挿入筒部の軸芯方向
７１  第１ドレインホース
７２  第２ドレインホース
８  排水処理部材
Ａ  床面
Ｂ  排水処理構造
【図１】
2020180675.tif 000003
【図２】
2020180675.tif 000004
【図３】
2020180675.tif 000005
【図４】
2020180675.tif 000006
【図５】
2020180675.tif 000007
【図６】
2020180675.tif 000008
【図７】
2020180675.tif 000009
【図８】
2020180675.tif 000010
【図９】
2020180675.tif 000011
【図１０】
2020180675.tif 000012
【図１１】
2020180675.tif 000013
【図１２】
2020180675.tif 000014
【図１３】
2020180675.tif 000015
【図１４】
2020180675.tif 000016
【図１５】
2020180675.tif 000017
【図１６】
2020180675.tif 000018
【図１７】
2020180675.tif 000019